(57)【特許請求の範囲】
【請求項１】
フレキシブルコンテナバッグに収容した被処理物を処理するシステムであって、
被処理物を収容した複数のフレキシブルコンテナバッグを搬入領域と解袋領域との間で搬送するための搬送装置と、
前記搬送装置で前記解袋領域に搬送された前記フレキシブルコンテナバッグを切り開く解袋装置と、
前記解袋領域の前記解袋装置で切り開かれた前記フレキシブルコンテナバッグを持ち上げて、前記搬送装置の搬送面上に被処理物を取り出す持上装置と、
を備え、
前記解袋装置は、前記フレキシブルコンテナバッグの底部に十字状の切れ目を入れて前記フレキシブルコンテナバッグを切り開く解袋手段を有する解袋機を備え、
前記解袋手段は、前記搬送装置における水平面で搬送方向に直交する幅方向に沿って往復移動可能に設けられた第１切刃と、前記幅方向の中間に位置し、前記搬送方向に沿って往復移動可能に設けられた第２切刃と、を備え、
前記第１切刃及び前記第２切刃は、前記搬送装置の搬送面よりも上方に向けて突出して設けられ、通過する前記フレキシブルコンテナバッグの底部に接触させることで前記十字状の切れ目を形成可能に設けられていることを特徴とするフレキシブルコンテナバッグに収容した被処理物の処理システム。
【請求項２】
前記持上装置は、前記フレキシブルコンテナバッグをつかむ把持部を有することを特徴とする請求項１に記載のフレキシブルコンテナバッグに収容した被処理物の処理システム。
【請求項３】
前記持上装置は、搬送方向に沿って複数設けられていることを特徴とする請求項１又は２に記載のフレキシブルコンテナバッグに収容した被処理物の処理システム。
【請求項４】
前記解袋領域において前記持上装置によって取り出された被処理物が破砕領域に搬送され、前記被処理物を破砕する破砕装置を備えていることを特徴とする請求項１乃至３のいずれか１項に記載のフレキシブルコンテナバッグに収容した被処理物の処理システム。
【請求項５】
収容されている前記被処理物の種類に応じて前記フレキシブルコンテナバッグに目印が付されており、
前記目印によって前記被処理物の種類を識別し、前記解袋装置で切り開いて収容された被処理物が排出される前記フレキシブルコンテナバッグが選択的に前記搬入領域の前記搬送装置に搬入されるように制御する制御装置を備えていることを特徴とする請求項１乃至４のいずれか１項に記載のフレキシブルコンテナバッグに収容した被処理物の処理システム。
【請求項６】
請求項１乃至５のいずれか１項に記載の被処理物の処理システムを用いたフレキシブルコンテナバッグに収容した被処理物の処理方法であって、
被処理物を収容した複数のフレキシブルコンテナバッグを搬送装置で順次搬入領域と解袋領域の間で搬送させ、
前記解袋領域に搬送されるとともに、前記第１切刃を前記幅方向に沿って移動させ、かつ前記第２切刃を前記搬送方向に沿って移動させることによって、前記フレキシブルコンテナバッグの底部を十字状に切り開き、
切り開いた前記フレキシブルコンテナバッグを持上装置で持ち上げて前記被処理物を前記フレキシブルコンテナバッグから取り出し処理することを特徴とするフレキシブルコンテナバッグに収容した被処理物の処理方法。
【発明の詳細な説明】
【技術分野】
【０００１】
本発明は、例えば放射性物質に汚染された被処理物をフレキシブルコンテナバッグに収容し、これを処理する際に用いて好適なフレキシブルコンテナバッグに収容した被処理物の処理システム及び処理方法に関する。
【背景技術】
【０００２】
従来、建設分野などでは、各種廃棄物などの被処理物を収容する手段としてフレキシブルコンテナバッグが多用されている。そして、例えば廃棄物を不燃物や可燃物に仕分けしながらそれぞれフレキシブルコンテナバッグに収容し、これら仕分けした廃棄物をフレキシブルコンテナバッグに収容した状態で処理場に運び、保管・処理するようにしている（例えば、特許文献１参照）。
【０００３】
また、例えば、フレキシブルコンテナバッグに収容して搬入された不燃物（被処理物）を処理場で処理する際には、フレキシブルコンテナバッグを吊り下げ、作業者がフレキシブルコンテナバッグの下側を切り裂き、不燃物の被処理物を落下させて取り出し、適宜分別処理などするようにしている。切り裂いたフレキシブルコンテナバッグは可燃物として処理される。
【０００４】
一方、フレキシブルコンテナバッグに収容して搬入された可燃物（被処理物）を処理する際には、フレキシブルコンテナバッグに収容した状態のまま、大型破砕機に投入して破砕し、適宜焼却処理などするようにしている。
【先行技術文献】
【特許文献】
【０００５】
【特許文献１】特開２０１３−１３０４０３号公報
【発明の概要】
【発明が解決しようとする課題】
【０００６】
ここで、例えば、放射性物質で汚染された土地を除染する際には、土砂や落葉・落枝、草木などの放射性物質を含む汚染物が大量に発生し、この汚染物（被処理物）をフレキシブルコンテナバッグに詰めて仮置き保管する。そして、汚染物をフレキシブルコンテナバッグに詰めた状態で中間貯蔵施設の受入・分別施設（処理場）に運び、搬入したフレキシブルコンテナバッグを解袋して、その中身を取り出すことになる。
【０００７】
このとき、被処理物が放射性物質を含む汚染物であるため、フレキシブルコンテナバッグを解袋して被処理物を取り出す際には、短時間でその作業を行うことが重要である。また、被処理物を収容した大量のフレキシブルコンテナバッグが搬入されてくるため、順次迅速にこれを処理してゆくことが求められる。
しかしながら、短時間でフレキシブルコンテナバッグを解袋して被処理物を取り出す手段、被処理物を収容した大量のフレキシブルコンテナバッグを効率よく処理する手段がないのが現状である。
【０００８】
なお、例えば、上記従来のように人力でフレキシブルコンテナバッグを切り裂いて汚染物（被処理物）を取り出すことは、外部被ばくのおそれがあり、また、作業効率が低い。
【０００９】
また、被処理物を収容したフレキシブルコンテナバッグごと破砕処理する大型破砕機は、被処理物に合わせて破砕刃や駆動トルクなどを選定・設定することが必要で、除染作業で発生した一様でない被処理物を収容したフレキシブルコンテナバッグを処理する際もこの破砕刃や駆動トルクなどを選定・設定が必要になる。
【００１０】
本発明は、上記事情に鑑み、フレキシブルコンテナバッグに収容した被処理物を効率よく大量に処理することを可能にするフレキシブルコンテナバッグに収容した被処理物の処理システム及び処理方法を提供することを目的とする。
【課題を解決するための手段】
【００１１】
上記の目的を達するために、この発明は以下の手段を提供している。
【００１２】
本発明のフレキシブルコンテナバッグに収容した被処理物の処理システムは、フレキシブルコンテナバッグに収容した被処理物を処理するシステムであって、被処理物を収容した複数のフレキシブルコンテナバッグを搬入領域と解袋領域との間で搬送するための搬送装置と、前記搬送装置で前記解袋領域に搬送された前記フレキシブルコンテナバッグを切り開く解袋装置と、前記解袋領域の前記解袋装置で切り開かれた前記フレキシブルコンテナバッグを持ち上げて、前記搬送装置の搬送面上に被処理物を取り出す持上装置と、を備え、前記解袋装置は、前記フレキシブルコンテナバッグの底部に十字状の切れ目を入れて前記フレキシブルコンテナバッグを切り開く解袋手段を有する解袋機を備え、前記解袋手段は、前記搬送装置における水平面で搬送方向に直交する幅方向に沿って往復移動可能に設けられた第１切刃と、前記幅方向の中間に位置し、前記搬送方向に沿って往復移動可能に設けられた第２切刃と、を備え、前記第１切刃及び前記第２切刃は、前記搬送装置の搬送面よりも上方に向けて突出して設けられ、通過する前記フレキシブルコンテナバッグの底部に接触させることで前記十字状の切れ目を形成可能に設けられていることを特徴としている。
【００１３】
また、本発明のフレキシブルコンテナバッグに収容した被処理物を処理する方法は、上述した被処理物の処理システムを用いたフレキシブルコンテナバッグに収容した被処理物の処理方法であって、被処理物を収容した複数のフレキシブルコンテナバッグを搬送装置で順次搬入領域と解袋領域の間で搬送させ、前記解袋領域に搬送されるとともに、前記第１切刃を前記幅方向に沿って移動させ、かつ前記第２切刃を前記搬送方向に沿って移動させることによって、前記フレキシブルコンテナバッグの底部を十字状に切り開き、切り開いた前記フレキシブルコンテナバッグを持上装置で持ち上げて前記被処理物を前記フレキシブルコンテナバッグから取り出し処理することを特徴としている。
【００１４】
本発明では、解袋領域に搬送されるとともに、不燃物などの被処理物を収容したフレキシブルコンテナバッグを解袋装置を使用して解袋し、その解袋したフレキシブルコンテナバッグを持上装置で持ち上げることで被処理物を搬送装置の搬送面上に取り出すことができる。そして、搬送面上に取り出された被処理物は、所定の破砕領域へ搬送することにより適正に処理することができる。
【００１５】
これにより、被処理物が例えば除染作業で発生した放射性物質を含む汚染物であっても、作業者がフレキシブルコンテナバッグを切り開き、人力で汚染物の被処理物を取り出すことを不要にすることができる。
【００１６】
また、従来のように被処理物を収容したフレキシブルコンテナバッグを一つずつ処理するのではなく、搬送装置で連続的に搬送しながら、解袋装置及び持上装置を使用して処理することができるため、大量の被処理物を効率的に処理してゆくことが可能になる。
【００１７】
また、本発明では、搬送装置の搬送経路上に解袋装置や持上装置が配設され、搬送装置によってフレキシブルコンテナバッグが搬送されるとともに、このフレキシブルコンテナバッグを解袋装置が備える例えば切刃やウォータージェット等の解袋手段で切り開き、フレキシブルコンテナバッグから自動的に且つ連続的に被処理物を落下させて、フレキシブルコンテナバッグから被処理物を取り出すことが可能になる。
また、この場合、フレキシブルコンテナバッグの底部に解袋機を使用して切れ目を形成することができるので、持上装置でレキシブルコンテナバッグの切れ目より上側部分を持ち上げることにより、切れ目が形成されている底部から被処理物を効率よく取り出すことができる。
しかも、この場合、底部が十字状に切り開くので、持上装置でフレキシブルコンテナバッグを持ち上げる際に被処理物が排出し易くなり、持ち上げ時にかかる持上装置の負荷を小さくすることができる。
【００１８】
また、本発明に係るフレキシブルコンテナバッグに収容した被処理物の処理システムは、前記持上装置は、前記フレキシブルコンテナバッグをつかむ把持部を有することが好ましい。
【００１９】
この場合、搬送装置で搬送され、解袋装置で切り開かれたフレキシブルコンテナバッグを把持部で把持する構成であるので、フレキシブルコンテナバッグの形状に関わらず、且つ容易に持ち上げることができる。
【００２０】
また、本発明に係るフレキシブルコンテナバッグに収容した被処理物の処理システムは、前記持上装置は、搬送方向に沿って複数設けられていることが好ましい。
【００２１】
この場合には、搬送装置によって連続的に搬送される複数のフレキシブルコンテナバッグに対して効率よく持ち上げて、被処理物を取り出すことができる。
【００２２】
また、本発明に係るフレキシブルコンテナバッグに収容した被処理物の処理システムは、前記解袋領域において前記持上装置によって取り出された被処理物が破砕領域に搬送され、前記被処理物を破砕する破砕装置を備えていることが好ましい。
【００２３】
このような構成とすることで、破砕領域に搬送される被処理物を破砕装置で破砕して、順次、連続的に且つ自動的に処理してゆくことが可能になる。
【００２８】
また、本発明に係るフレキシブルコンテナバッグに収容した被処理物の処理システムは、収容されている前記被処理物の種類に応じて前記フレキシブルコンテナバッグに目印が付されており、前記目印によって前記被処理物の種類を識別し、前記解袋装置で切り開いて収容された被処理物が排出される前記フレキシブルコンテナバッグが選択的に前記搬入領域の前記搬送装置に搬入されるように制御する制御装置を備えていることが好ましい。
【００２９】
この場合には、フレキシブルコンテナバッグに目印を設けることにより、解袋装置で処理するフレキシブルコンテナバッグと、破砕装置で処理するフレキシブルコンテナバッグを確実に識別・区別することができ、これにより、より効率的に且つ正確に被処理物を処理することが可能になる。
【発明の効果】
【００３２】
本発明のフレキシブルコンテナバッグに収容した被処理物の処理システム及び処理方法によれば、例えば、放射性物質で汚染された土地の除染作業などによって大量に発生し、フレキシブルコンテナバッグに詰めた放射性物質を含む汚染物が被処理物であっても、短時間でフレキシブルコンテナバッグを解袋し、効率よく大量に処理することが可能になる。
【図面の簡単な説明】
【００３３】
【図１】本発明の一実施形態に係るフレキシブルコンテナバッグに収容した被処理物の処理システム及び処理方法を示す側面図である。
【図２】本発明の一実施形態に係るフレキシブルコンテナバッグに収容した被処理物の処理システム及び処理方法を示す平面図である。
【図３】本発明の一実施形態に係るフレキシブルコンテナバッグに収容した被処理物の処理システムの要部を示す側面図である。
【図４】本発明の一実施形態に係るフレキシブルコンテナバッグに収容した被処理物の処理システムの解袋装置の構成を示す平面図である。
【図５】第１変形例による解袋装置の構成を示す図であって、（ａ）は解袋前の図、（ｂ）は解袋後の図である。
【図６】図５（ｂ）に示す解体後のフレキシブルコンテナバッグの切れ目の状態を示す図である。
【図７】第２変形例による搬送装置の構成を示す側面図である。
【図８】第３変形例によるフレキシブルコンテナバッグに収容した被処理物の処理システムを示す平面図であって、図２に対応する図である。
【図９】第４変形例による搬送装置の要部を示す図である。
【図１０】第５変形例による搬送装置の要部を示す図である。
【図１１】第６変形例による破砕装置の構成を示す斜視図である。
【図１２】第７変形例による搬送装置の要部を示す図である。
【発明を実施するための形態】
【００３４】
以下、図１から図４を参照し、本発明の一実施形態に係るフレキシブルコンテナバッグに収容した被処理物の処理システム及び処理方法について説明する。
【００３５】
ここで、本実施形態は、放射性物質で汚染された土地などを除染して大量に発生する土砂や落葉・落枝、草木などの放射性物質を含む被処理物（汚染物、廃棄物）をフレキシブルコンテナバッグ１に詰め、この状態の被処理物を処理するための処理システム及び処理方法に関するものである。
【００３６】
はじめに、本実施形態のフレキシブルコンテナバッグ１は、可撓性を有するシート状部材を用いて形成され、非使用時には折り畳み可能で、使用時（被処理物の収容時）には内容量を大きくして多量の物を収容できる袋体として形成されている。また、このフレキシブルコンテナバッグ１は、例えば、有底円筒状、有底四角筒状に形成されている。
【００３７】
具体的に、この種のフレキシブルコンテナバッグは、被処理物を収容する胴部及び底部からなる袋体収容部と、袋体収容部に一体に接続され、被処理物を収容した状態で袋体収容部の上部側を閉塞させるための略筒状の袋体蓋部と、袋体収容部及び袋体蓋部を吊り下げるための吊りベルトと、袋体収容部の適所に設けられて袋体収容部を補強するための補強材とを備えて形成されている。
【００３８】
そして、本実施形態では、このようなフレキシブルコンテナバッグ１に、除染作業で発生した放射性物質を含む（含む可能性がある）落葉・落枝、草木などの可燃物と、土砂や金属などの不燃物とを仕分けしながら収容する。
【００３９】
一方、本実施形態のフレキシブルコンテナバッグ１に収容した被処理物の処理システムＡは、図１及び図２に示すように、被処理物Ｓを収容した複数のフレキシブルコンテナバッグ１を搬入領域Ｒ１と解袋領域Ｒ２との間で搬送するための搬送装置２と、搬送装置２で解袋領域Ｒ２に搬送されるとともに、フレキシブルコンテナバッグ１を切り開く解袋装置３と、解袋領域Ｒ２の解袋装置３で切り開かれたフレキシブルコンテナバッグ１を持ち上げて、搬送装置２上に被処理物Ｓを取り出す持上装置４と、解袋領域Ｒ２において持上装置４によって取り出された被処理物Ｓが破砕領域Ｒ３に搬送され、被処理物Ｓを破砕する破砕装置５と、これら搬送装置２、解袋装置３、持上装置４、及び破砕装置５の駆動を制御する制御装置（不図示）と、を備えている。
【００４０】
また、本実施形態の搬送装置２は、例えばベルトコンベアやローラコンベア等のコンベア装置が用いられ、被処理物Ｓを収容したフレキシブルコンテナバッグ１を載置させた状態で搬送方向Ｘへ向けて移送するものである。搬送装置２は、搬入領域Ｒ１に位置する第１搬送装置２Ａと、解袋領域Ｒ２に位置するとともに、第１搬送装置２Ａからフレキシブルコンテナバッグ１を受ける第２搬送装置２Ｂと、が同じ高さの位置に設けられ、第１搬送装置２Ａと第２搬送装置２Ｂとが搬送方向Ｘに沿って略水平方向に、且つ連続的に搬送できるように配置されている。そして、第１搬送装置２Ａと第２搬送装置２Ｂとの間に境界部分には、解袋装置３が配置されている。
【００４１】
次に、本実施形態の解袋装置３は、図３及び図４に示すように、第１搬送装置２Ａで搬送されているフレキシブルコンテナバッグ１を切り開いて解袋する解袋機３１を備えて構成されている。
解袋機３１は、解袋手段としての切刃３２、３３を有し、フレキシブルコンテナバッグ１の底部（下面）に切れ目を入れてフレキシブルコンテナバッグ１を切り開き、被処理物Ｓを取り出すように構成されている。
【００４２】
具体的に解袋機３１は、搬送装置２の幅方向Ｙ（水平面で搬送方向Ｘに直交する方向）に沿って往復移動可能に設けられた第１切刃３２（解袋手段）と、第１搬送装置２Ａに組み込まれた固定、又は搬送方向Ｘに沿って往復移動可能に設けられた第２切刃３３（解袋手段）と、を備えている。第１切刃３２は、搬送方向Ｘに搬送されるフレキシブルコンテナバッグ１が通過する際に、幅方向Ｙに移動させてフレキシブルコンテナバッグ１の底部（下面）に幅方向Ｙの切れ目を入れることができる。第２切刃３３は、幅方向Ｙの中間に位置し、第１搬送装置２Ａの搬送面２ａよりも上方に向けて突出して設けられ、この第２切刃３３に接触しながら通過するフレキシブルコンテナバッグ１の底部（下面）に搬送方向Ｙの切れ目を入れることができる。
【００４３】
これら第１切刃３２及び第２切刃３３によって、フレキシブルコンテナバッグ１の底部（下面）に十字状の切れ目、複数の切れ目を入れることができる。フレキシブルコンテナバッグ１の下面を開放させて被処理物Ｓを自動的に落下させ、好適に被処理物Ｓを取り出すことが可能になる。
【００４４】
次に、本実施形態の持上装置４は、図１及び図３に示すように、解袋領域Ｒ２において、フレキシブルコンテナバッグ１をつかむ把持部４ａを有するグラップル等の油圧機械が用いられ、把持部４ａは移動自在となっている。把持部４ａは、開閉可能な一対の爪状に形成され、少なくともフレキシブルコンテナバッグ１のみを落とさないように持ち上げることが可能な把持力を有している。
【００４５】
持上装置４は、把持部４ａで搬送されているフレキシブルコンテナバッグ１の吊りベルト１ａを引っ掛けるようにして把持して持ち上げるように構成されている。さらに、持上装置４は、搬送方向Ｘに沿って所定の間隔をあけて複数（ここでは２台）設けられ、搬送装置２上で移送される複数のフレキシブルコンテナバッグ１を複数の持上装置４によって効率よく持ち上げて、被処理物Ｓを第２搬送装置２Ｂの搬送面２ａ上に取り出せるように構成されている。
【００４６】
なお、被処理物Ｓが取り出された袋体のみのフレキシブルコンテナバッグ１は、持上装置４によって把持した状態のまま適宜な回収場所に移動されて回収され、適宜な処理手段により処理される。
【００４７】
次に、本実施形態の破砕装置５は、図２に示すように、例えば振動篩装置を備え、第２搬送装置２Ｂ上の被処理物Ｓを受けるホッパ部５１と、ホッパ部５１で受けた被処理物Ｓを破砕する破砕部５２と、搬送装置２上に取り出された被処理物Ｓをホッパ部５１に搬送する第１排出ベルトコンベア５３と、ホッパ部５１で適宜な大きさに篩分けされた被処理物Ｓを受けて破砕部５２に搬送する第２排出ベルトコンベア５４と、を備えて構成されている。
【００４８】
このように、本実施形態のフレキシブルコンテナバッグに収容した被処理物の処理システムＡでは、図２に示すように、被処理物Ｓを収容したフレキシブルコンテナバッグ１が搬入される搬入領域Ｒ１と、解袋装置３が配設された解袋領域Ｒ２と、破砕装置５が配設された破砕領域Ｒ３とが設けられ、搬入領域Ｒ１から解袋領域Ｒ２に、解袋領域Ｒ２から破砕領域Ｒ３に連続的に繋がるように各装置が配置されている。
【００４９】
そして、本実施形態のフレキシブルコンテナバッグ１に収容した被処理物Ｓの処理システムＡを用い、除染作業によって発生した放射性物質を含む被処理物Ｓを収容したフレキシブルコンテナバッグ１を処理する際には（本実施形態の処理方法）では、トラックなどでフレキシブルコンテナバッグ１が搬入領域Ｒ１に搬入される。
【００５０】
また、このフレキシブルコンテナバッグ１には、被処理物Ｓを収容した際に、あるいは搬入領域Ｒ１に搬入した後に、不燃物の被処理物Ｓを収容したフレキシブルコンテナバッグ１と、可燃物の被処理物Ｓを収容したフレキシブルコンテナバッグ１とを識別・区別できるように目印（不図示）が付けられる。この目印は、例えば、処理システムＡの操作者が視認したり、カメラなどで検知できるシールなどの指標（色、形、文字）や、制御装置で制御できるようにＩＣタグ等が適用できる。
【００５１】
フレキシブルコンテナバッグ１は、搬入領域Ｒ１に位置する第１搬送装置２Ａに搬入される前の段階において、前記制御装置によって、目印を頼りに、被処理物Ｓの種類（不燃物か可燃物か）が識別され、解袋装置３で切り開いて収容された被処理物Ｓが排出されるフレキシブルコンテナバッグ１が選択的に搬入領域Ｒ１の第１搬送装置Ｒ１に搬入される。なお、本実施形態では、不燃物の被処理物Ｓを収容したフレキシブルコンテナバッグが前記目印により識別されて、処理システムＡで処理される。
【００５２】
第１搬送装置２Ａに搬入されたフレキシブルコンテナバッグ１は、第１搬送装置２Ａで搬送方向Ｘに沿って移動し、解袋装置３を通過すると、フレキシブルコンテナバッグ１の一部を残して底部が切断され、第２搬送装置２Ｂに乗り移る。その後、持上装置４の把持部４ａによってフレキシブルコンテナバッグ１の吊りベルト１ａが把持され、持ち上げられる。これにより、底部が切り開かれたフレキシブルコンテナバッグ１より自動的に不燃物の被処理物Ｓが第２搬送装置２Ｂの搬送面２ａ上に落下して、フレキシブルコンテナバッグ１から取り出される。そして、取り出された土砂や金属などの不燃物の被処理物Ｓが第２搬送装置２Ｂから第１排出ベルトコンベア５３に乗り移り、破砕装置５のホッパ部５１に送られ、破砕部５２で破砕処理される。
【００５３】
なお、不燃物の被処理物Ｓが取り出された後のフレキシブルコンテナバッグ１も、持上装置４によって把持されたまま適宜な回収場所に移された後、破砕装置５のホッパ部５１に投入され、同様に破砕処理される。
【００５４】
なお、可燃物の被処理物Ｓが収容されたフレキシブルコンテナバッグ１は、焼却するなどの処理がなされる。
【００５５】
上記のように、本実施形態のフレキシブルコンテナバッグに収容した被処理物の処理システムＡ及び処理方法では、搬入領域Ｒ１で不燃物の被処理物Ｓを収容したフレキシブルコンテナバッグ１を第１搬送装置２Ａの搬送面２ａ上に搬入し、搬送装置２によって被処理物Ｓを収容した複数のフレキシブルコンテナバッグ１を連続して解袋領域Ｒ２と破砕領域Ｒ３に搬送させる。
【００５６】
そして、解袋領域Ｒ２に搬送されるとともに、被処理物Ｓを収容したフレキシブルコンテナバッグ１を解袋装置３で解袋し、持上装置４で持ち上げて被処理物Ｓを第２搬送装置２Ｂの搬送面２ａ取り出し、破砕領域Ｒ３に搬送されるとともに被処理物Ｓを収容したフレキシブルコンテナバッグ１を破砕装置５で破砕して、順次、連続的に且つ自動的に、フレキシブルコンテナバッグ１に収容した被処理物Ｓを適正に処理してゆくことが可能になる。
【００５７】
これにより、被処理物Ｓが本実施形態のように除染作業で発生した放射性物質を含む汚染物であっても、作業者がフレキシブルコンテナバッグ１を切り開き、人力で汚染物の被処理物Ｓを取り出すことを不要にすることができる。
【００５８】
また、従来のように被処理物Ｓを収容したフレキシブルコンテナバッグ１を一つずつ処理するのではなく、搬送装置２（第１搬送装置２Ａ及び第２搬送装置２Ｂ）で連続的に搬送しながら、解袋装置３及び持上装置４を使用して処理することができるため、大量の被処理物Ｓを効率的に処理してゆくことが可能になる。
【００５９】
また、本実施形態では、搬送装置２の搬送経路上に解袋装置３や持上装置４が配設され、搬送装置２によってフレキシブルコンテナバッグ１が搬送されるとともに、このフレキシブルコンテナバッグ１を解袋装置３が備える切刃３２、３３の解袋手段で切り開き、フレキシブルコンテナバッグ１から自動的に且つ連続的に被処理物Ｓを落下させて、フレキシブルコンテナバッグ１から被処理物Ｓを取り出すことが可能になる。
【００６０】
また、本実施形態では、搬送装置２で搬送され、解袋装置３で切り開かれたフレキシブルコンテナバッグ１を把持部４ａで把持する構成であるので、フレキシブルコンテナバッグ１の形状に関わらず、且つ容易に持ち上げることができる。
【００６１】
さらに、本実施形態では、持上装置４が搬送方向Ｘに沿って複数（２台）設けられているので、搬送装置２によって連続的に搬送される複数のフレキシブルコンテナバッグ１に対して効率よく持ち上げて、被処理物Ｓを取り出すことができる。
【００６２】
さらにまた、本実施形態では、解袋領域Ｒ２において持上装置４によって取り出された被処理物Ｓが破砕領域Ｒ３に搬送され、被処理物Ｓを破砕する破砕装置５を備えているので、破砕領域Ｒ３に搬送される被処理物Ｓを破砕装置５で破砕して、順次、連続的に且つ自動的に処理してゆくことが可能になる。
【００６３】
また、本実施形態では、フレキシブルコンテナバッグ１の底部に解袋機３１を使用して切れ目を形成することができるので、持上装置４でレキシブルコンテナバッグ１の切れ目より上側部分を持ち上げることにより、切れ目が形成されている底部から被処理物Ｓを効率よく取り出すことができる。
【００６４】
また、本実施形態では、解袋装置３がフレキシブルコンテナバッグ１の底部に十字状の切れ目を入れる構成であり、フレキシブルコンテナバッグ１の底部が十字状に切り開くので、持上装置４でフレキシブルコンテナバッグ１を持ち上げる際に被処理物Ｓが排出し易くなり、持ち上げ時にかかる持上装置４の負荷を小さくすることができる。
【００６５】
よって、本実施形態のフレキシブルコンテナバッグに収容した被処理物の処理システムＡ及び処理方法によれば、例えば、放射性物質で汚染された土地の除染作業などによって大量に発生し、フレキシブルコンテナバッグ１に詰めた放射性物質を含む汚染物が被処理物Ｓであっても、短時間でフレキシブルコンテナバッグ１を解袋し、効率よく大量に処理することが可能になる。
【００６６】
以上、本発明に係るフレキシブルコンテナバッグに収容した被処理物の処理システム及び処理方法の一実施形態について説明したが、本発明は上記の一実施形態に限定されるものではなく、その趣旨を逸脱しない範囲で適宜変更可能である。
【００６７】
例えば、本実施形態では、放射性物質で汚染された汚染物を被処理物Ｓとしてフレキシブルコンテナバッグ１に収容し、これを処理するものとして説明を行ったが、本発明に係る処理システム及び処理方法は、フレキシブルコンテナバッグ１に収容した被処理物Ｓであれば、あらゆる被処理物Ｓの処理に適用可能である。すなわち、本発明は、除染作業などで発生した放射性物質を含む汚染物に限定して用いる必要はない。
【００６８】
さらに、本実施形態では、解袋装置３のフレキシブルコンテナバッグ１に切れ目を入れる解袋手段が第１切刃３２及び第２切刃３３であるものとして説明を行ったが、本発明に係る解袋手段は切刃３２、３３に限定する必要はない。例えばウォータージェットやレーザー、溶断手段などを解袋手段として適用し、フレキシブルコンテナバッグ１に切れ目を入れる（解袋する）ようにしてもよい。すなわち、フレキシブルコンテナバッグ１に切れ目を入れて被処理物Ｓを取り出すことができれば、あらゆる手段が解袋手段として適用可能であり、特に解袋手段を限定する必要はない。
【００６９】
また、本実施形態の解袋装置３において、２つの切刃３２、３３のうち第２切刃３３が固定位置に設けられているが、図５及び図６に示すように、搬送方向Ｘに沿って往復移動可能に設けられていても良い。すなわち、図５（ａ）、（ｂ）に示すように、持上装置４でフレキシブルコンテナバッグ１を切刃３２、３３の届く高さ範囲に持ち上げた状態で、両方の切刃３２、３３を移動させることで、図６に示すようにフレキシブルコンテナバッグ１の底部（底面）に十字状の切れ目を形成することができる。この場合、持上装置４で搬送装置２より浮かした状態で切れ目を入れるので、解袋と同時に被処理物Ｓを搬送面２ａ上に取り出すことができる。
【００７０】
さらに、本実施形態では、解袋機３１によってフレキシブルコンテナバッグ１の底部に切れ目を入れる構成について説明を行ったが、切れ目を入れる位置は、これに限定されることはない。例えば、解袋機３１によってフレキシブルコンテナバッグ１の下端側に水平方向に切れ目を入れてフレキシブルコンテナバッグ１を切り開き、被処理物Ｓを取り出すように構成されていてもよい。この場合においても、本実施形態と同様の作用効果を得ることが可能である。
【００７１】
さらにまた、本実施形態の持上装置４として、把持部４ａを有するグラップルを備えた油圧機械としているが、このような構成のものに制限されることはなく、他の持ち上げ可能な構成であってもかまわない。例えば、真空吸引機構を備えた装置を第２搬送装置２Ｂの上方に配置し、搬送装置２で搬送されるフレキシブルコンテナバッグ１の上方から前記真空吸引機構の吸引部を近接させて吸引し、その吸引力によりフレキシブルコンテナバッグ１を持ち上げ、被処理物Ｓを取り出すようにしてもよい。
【００７２】
また、搬送装置２の長さ、形状、数量等の構成は、本実施形態に制限されず、適宜設定することが可能である。例えば、本実施形態では、搬入領域Ｒ１に位置する第１搬送装置２Ａと、解袋領域Ｒ２に位置する第２搬送装置２Ｂとの２つから構成されているが、一体的に設けられていても良いし、３つ以上の搬送装置が組み合わされたものであっても良い。要は、搬送装置２が、搬入領域Ｒ１から解袋領域Ｒ２までの間でフレキシブルコンテナバッグ１を搬送させることができ、その搬送経路の途中の位置に解袋装置３及び持上装置４がその順で配置されて、前述したようにフレキシブルコンテナバッグ１の切り開きと持ち上げの動作が行われる構成であれば良いのである。
【００７３】
さらに、搬送装置２において、図７に示すように、解袋領域Ｒ２に位置する第２搬送装置２Ｂに下り傾斜をもたせて配置した構成としてもよい。この場合、持上装置４で持ち上げる際には、被処理物Ｓが徐々にフレキシブルコンテナバッグ１から排出されるので、搬送装置２上に取り出された被処理物Ｓの山の高さを抑えることができ、搬送装置２から被処理物Ｓがこぼれ落ちるのを防ぐことができる。
なお、下りの傾斜部分のベルトコンベア等の搬送装置は、下り傾斜面を有するシュートであってもよい。この場合には、フレキシブルコンテナバッグ１から取り出された被処理物Ｓが自重でシュートを滑り落ちるので前述と同様に被処理物Ｓの山の高さが抑えられる効果を奏する。
【００７４】
さらにまた、図８に示すように、本実施形態の処理システムＡの全体を建屋やテント等のカバー壁６で覆うようにしても良い。この場合、カバー壁６によって外部環境と処理システムＡとを分離することができるので、本処理システムＡで発生するフレキシブルコンテナバッグ１からの被処理物Ｓの排出時や破砕装置５による破砕時に発生する被処理物Ｓや粉塵が外部に飛散し、拡散するのを防止することができる。とくに、解袋装置３の解袋機３１としてウォータージェットを使用する場合には、周囲への飛散が伴うために効果的である。
【００７５】
また、フレキシブルコンテナバッグ１からの被処理物Ｓの取り出し時において、図９及び図１０に示す被処理物Ｓの飛散防止対策を行うようにしても良い。
図９に示す構造は、持上装置４で持ち上げたフレキシブルコンテナバッグ１の開放部付近に水を噴霧する噴霧ノズル２１を設けたものである。この噴霧ノズル２１は、取り出された被処理物Ｓの上方から噴霧されるように配置されている。
そして、図１０に示す構造は、フレキシブルコンテナバッグ１より取り出される被処理部Ｓの位置を覆うように排出用の開口部２２ａを有する飛散防止カバー２２を設けたものである。
【００７６】
さらに、本実施形態の破砕設備５は粉塵の飛散量が大きく、且つ汚染水による悪臭発生する領域となることから、図１１に示すように、この領域にテント等の飛散防止カバー５５を設けるようにしても良い。なお、図１１は、飛散防止カバー５５がホッパ部５１を覆っている状態を示しており、さらにこの飛散防止カバー５５に集塵ファンや消臭ファン等の空気浄化装置５６を連結配管５７を介して設置し、飛散防止カバー５５内の空気を浄化した後に排気する設備を設けた構成となっている。
なお、カバーなどを設けない場合には、臭気発生源に吸込口を設け、局所ファンで吸込み、空気浄化装置を経由して排気するように構成してもよい。
【００７７】
さらにまた、図１２に示すように、搬送装置２（２Ａ、２Ｂ）の下方に配置されるとともに排出口２３ａを有する集水受け部２３と、集水受け部２３で受けた汚染水を溜める集水槽２４（例えば、集水パン）を設けるようにしても良い。この場合、集水受け部２３は、搬送設備２の全領域にわたる下方に設けられていることが好ましく、搬送装置２によって搬送されるフレキシブルコンテナバッグ１から漏れる汚染水や、解袋装置３でフレキシブルコンテナバッグ１を切り開く際に出る汚染水や、搬送装置２の搬送面２ａ上に排出された被処理物Ｓに含まれる汚染水などの余常水を外部に飛散させることなく受けて集水することができる。なお、集水槽２４で集めた汚染水は、浄化した後、再利用することも可能である。
この場合、とくに解袋装置３の解袋機３１としてウォータージェットを使用する場合には、周囲への飛散が伴うために効果的である。
【００７８】
その他、本発明の趣旨を逸脱しない範囲で、上記した実施の形態における構成要素を周知の構成要素に置き換えることは適宜可能である。
【符号の説明】
【００７９】
１      フレキシブルコンテナバッグ
１ａ    吊りベルト
２      搬送装置
２ａ    搬送面
３      解袋装置
３１    解袋機
３２    第１切刃（解袋手段）
３３    第２切刃（解袋手段）
４      持上装置
４ａ    把持部
５      破砕装置
５１    ホッパ部
５２    破砕部
５３    第１排出ベルトコンベア
５４    第２排出ベルトコンベア
Ａ      フレキシブルコンテナバッグに収容した被処理物の処理システム
Ｒ１    搬入領域
Ｒ２    解袋領域
Ｒ３    破砕領域
Ｓ      被処理物
Ｘ      搬送方向
【図１】
0006497645.tif 000002
【図２】
0006497645.tif 000003
【図３】
0006497645.tif 000004
【図４】
0006497645.tif 000005
【図５】
0006497645.tif 000006
【図６】
0006497645.tif 000007
【図７】
0006497645.tif 000008
【図８】
0006497645.tif 000009
【図９】
0006497645.tif 000010
【図１０】
0006497645.tif 000011
【図１１】
0006497645.tif 000012
【図１２】
0006497645.tif 000013